(57)【要約】      （修正有）【課題】所要の位置付近に手を置くことによりセンサーが感知し、必要な情報をスピーカー及び／又はＦＭラジオにて聞くことができる音声案内装置を提供する。【解決手段】設定距離の変化を感知する検知回路と、音声が流れる音声回路とにより構成してなることを特徴とする音声案内装置。【選択図】図１
0003116186.tif 000002
【実用新案登録請求の範囲】
【請求項１】
設定距離の変化を感知する検知回路と、音声が流れる音声回路とにより構成してなることを特徴とする音声案内装置。
【請求項２】
案内表示板を設けてなることを特徴とする請求項１記載の音声案内装置。
【請求項３】
検知回路が赤外線センサーあるいは超音波センサーを使用してなることを特徴とする請求項１又は２記載の音声案内装置。
【請求項４】
検知回路から発信する赤外線あるいは超音波を間欠的に発信してなることを特徴とする請求項１、２又は３記載の音声案内装置。
【請求項５】
音声回路が、スピーカー及び／又はＦＭ電波で音声を流すＦＭ回路とを選択可能に設定してなることを特徴とする請求項１、２、３又は４記載の音声案内装置。
【請求項６】
電源を乾電池とすることを特徴とする請求項１、２、３、４又は５記載の音声案内装置。
【考案の詳細な説明】
【技術分野】
【０００１】  本考案は、主に利用者が手摺点字に触れることによりセンサーが設定距離の変化を感知し、音声が流れる仕組みで、特に視覚障害者の方々の安全に配慮した音声案内装置に関するものである。
【背景技術】
【０００２】  従来の技術として、音声録音再生ＬＳＩ、音声メモリ、マイク、データ送信機、操作スイッチ類、状態表示部、その他電子部品（水晶発振子、抵抗、コンデンサなど）によって構成された、音声案内情報送信器と、受信器側に広く一般に普及している、ラジオを使用した音声案内システムがある。（特許文献１参照）【０００３】  また、別の従来技術として、検出電極と、該検出電極と接続された検出回路と、該検出回路の検出信号の入力により音声案内を行う制御回路を有し、該検出電極に利用者等の指等が接近又は接触することにより、検出電極とアース間の静電容量が変化し、該検出信号が該制御回路へ入力されることを特徴とする音声案内装置がある。（特許文献２参照）
【特許文献１】  特開平１０−２２４８８５号公報
【特許文献２】  特開２００１−１６６７２２号公報
【考案の開示】
【考案が解決しようとする課題】
【０００４】  上記前者は、単に音声案内情報をラジオで受信するもので、省エネの検知回路を有しておらず、また、案内表示板を有していないため特に健常者の人への目視の情報がない。【０００５】  また上記後者は、施工に多大な時間と労力を要すると共に、検出電極に直接接触しなければ作動しない設計であり、エラーが発生する可能性があるものである。【０００６】  本考案は、上記の問題点に鑑みなされたもので、その目的は、所要の位置付近に手を置くことによりセンサーが感知し、必要な情報をスピーカー及び／又はＦＭラジオにて聞くことができる音声案内装置を提供するものである。
【課題を解決するための手段】
【０００７】  本考案は、上記目的を達成する手段として、設定距離の変化を感知する検知回路と、音声が流れる音声回路とにより構成してなる。
また、案内表示板を設けてなる。
そして、検知回路が赤外線センサーあるいは超音波センサーを使用してなる。
そしてまた、検知回路から発信する赤外線あるいは超音波を間欠的に発信してなる。
さらに、音声回路が、スピーカー及び／又はＦＭ電波で音声を流すＦＭ回路とを選択可能に設定してなる。
さらにまた、電源を乾電池とすることを特徴とする。
【考案の効果】
【０００８】１）、設定距離の変化を感知する検知回路と、音声が流れる音声回路とにより構成してなることにより、手を所要位置（例えば階段の手摺等）付近に置くとセンサーが反応し、録音した音声を流すことができるため、作動ミスがなく確実に情報を提供できる。
２）、案内表示板を設けることにより、健常者の方にも色々な情報を提供できる。
３）、赤外線センサーあるいは超音波センサーを使用することにより、屋外の明るい場所では超音波センサーを使用する等、場所や周囲の状況によって選択できる。
４）、発信する赤外線あるいは超音波を間欠的（例えば１秒間隔）に発信することによりバッテリー（電池等）の消耗を極力押えることができる。
５）、音声回路が、スピーカー及び／又はＦＭ電波（ＦＭラジオ）で聞くことができるため、場所によって、また、目的によって変更できる。
６）、乾電池式のため電源（１００Ｖ等）が無い所でも使用できる。
【発明の実施するための最良の形態】
【０００９】  １は、音声案内装置である。
２は、合成樹脂等によるケースで、基本的に防水機能を有するものである。
３は、設定距離の変化を感知する検知回路で、赤外線センサーあるいは超音波センサー３ａと連動してなるもので、設定した一定の距離内に手等が入り込むと反応するものである。
なお、発信する赤外線あるいは超音波は１秒間隔前後で発信するものである。
４は、音声が流れる音声回路で、スピーカー４ａと連動してなるものである。
５は、上記音声回路４の音声データをＦＭ電波にて発信するＦＭ回路で、アンテナ５ａにて近距離（１０ｍ以内）に発信するものである。
６は、上記音声回路４に音声データを送信すると共に、色々なメッセージを保存してなるメモリカードである。
７は、電源で、乾電池仕様とするが、１００Ｖでもよい。
８は、セグメント表示で、内部の設定値又はエラーの番号を表示するものである。
９は、上記ケース２の蓋で、使用場所に適合した案内表示板９ａを設けてある。
１０は、音声データの設定を切り換えるための音声データ切り換え部である。
【００１０】  上記のように構成した音声案内装置１の使用例について下記に述べる。
例えば、駅のホームの階段に取り付ける場合、階段Ｋの側壁Ｓに設けた手摺Ｔの上部ＪＢ及び下部ＫＢに手摺用点字銘板ＭＢを取り付ける。
つぎに、手摺用点字銘板ＭＢの上方所要位置に音声案内装置を設ける。（音声データ切り換え部１０にて音声データを選ぶ。）
【００１１】  この状態で、視覚障害者Ｓが階段を上がろうとして手摺用点字銘板ＭＢに触れる位置に手を置くと、センサー３ａが反応し、スピーカー４ａから音声（メッセージ）が流れ、階段周囲の情報を得ることができる。
また必要に応じてＦＭ回路５にて、アンテナ５ａを介してＦＭラジオＲにて情報を聞くことができる。
【００１２】  なお、上方の音声案内装置１も同様な使用をするものである。
また、設定距離は取り付け場所（位置）によって変更できるものである。
音声（メッセージ）においても、特に限定することなく必要に応じて決めればよい。
案内表示板の表示内容は、必要に応じて決めればよい。
赤外線あるいは超音波の間欠発信間隔は、使用頻度によって決めるものとする。
スピーカー及び／又はＦＭラジオにて音声（メッセージ）を聞く場合、一方にするか両方同時にするかは、必要に応じて選択すればよい。
さらに、ソーラー電源等を使用するのも一考である。
【図面の簡単な説明】
【００１３】
【図１】  本考案の実施形態を示す音声案内装置の構成図。
【図２】  本考案の実施形態を示す音声案内装置の案内表示板の正面図。
【図３】  本考案の実施形態を示す音声案内装置の使用状態図。
【符号の説明】
１−−−音声案内装置
２−−−ケース
３−−−検知回路
３ａ−−センサー
４−−−音声回路
４ａ−−スピーカー
５−−−ＦＭ回路
５ａ−−アンテナ
６−−−メモリカード
７−−−電源
８−−−セグメント表示
９−−−蓋
１０−−音声データ切り換え部
Ｋ−−−階段
Ｓ−−−側壁
Ｔ−−−手摺
ＪＢ−−手摺上部
ＫＢ−−手摺下部
ＭＢ−−手摺用点字銘板
Ｓ−−−視覚障害者
Ｒ−−−ラジオ
【図１】
0003116186.tif 000003
【図２】
0003116186.tif 000004
【図３】
0003116186.tif 000005